(57)【要約】【課題】温度環境の変化によらず導光板をフレームに確実に固定して、がたつき音を防止できるバックライトを提供する。【解決手段】金属フレーム４は、ＬＥＤ３を支持するとともに導光板２を収容する。ＬＥＤ３は、金属フレーム４の側壁４ａに取り付けられている。金属フレーム４には、側壁４ａ側から側壁４ｃ側へと突出する長辺用リブ８と、側壁４ｂ側から側壁４ｄ側へと突出する短辺用リブ９と、が取り付けられている。長辺用リブ８と短辺用リブ９とは、いずれもばね性を有するように金属フレーム４に取り付けられて、導光板２を側壁４ｃ、側壁４ｄ側に押圧している。【選択図】図１
2008027736.tif 000002
【特許請求の範囲】
【請求項１】
光源と、
該光源からの光が側端面から入射するように前記光源から離間されて配置される導光板と、
枠状の側壁を有し、前記光源を前記側壁の内側で支持するとともに前記導光板を収容する金属フレームと、
を備えるバックライトユニットにおいて、
前記金属フレームには、前記光源が支持される側壁側から対向する側壁側へと突出する第１の突起部材と、前記光源が支持される側壁と隣り合う２つの側壁うちいずれか一方の側壁側から対向する側壁側へと突出する第２の突起部材と、が形成され、
前記第１及び第２の突起部材は、いずれもばね性を有するように前記金属フレームに取り付けられて、対向する側壁に前記導光板を押圧することを特徴とするバックライトユニット。
【請求項２】
前記第１及び第２の突起部材は、耐熱性及び耐寒性を有する材質から成ることを特徴とする請求項１に記載のバックライトユニット。
【請求項３】
前記第１及び第２の突起部材は、弾性を有する材質から成ることを特徴とする請求項２に記載のバックライトユニット。
【請求項４】
前記光源は、前記導光板の光が入射する側端面の長手方向と略平行な方向に列状に複数配置され、
複数配置される前記光源のそれぞれを挟むように前記第１の突起部材が配置されることを特徴とする請求項１〜３のいずれかに記載のバックライトユニット。
【請求項５】
前記第１の突起部材の側面は、前記側端面側に向かって、前記第１の突起部材の断面が細くなるように傾斜していることを特徴とする請求項４に記載のバックライトユニット。
【請求項６】
前記第１の突起部材の前記側端面と接触する面には表面処理が施されていることを特徴とする請求項４又は請求項５に記載のバックライトユニット。
【発明の詳細な説明】
【技術分野】
【０００１】
本発明は、液晶表示装置に利用されるバックライトユニットに関し、詳細には、バックライトユニットに備えられる導光板を固定する構造に関する。
【背景技術】
【０００２】
従来の液晶表示装置に利用されるバックライトユニットの構成例について、図８〜図１０に示す。図８は、従来のバックライトユニット１０１の構成例を示す概略平面図で、図９は、図８のＡ−Ａ位置における断面図で、図１０は、図８のＣ−Ｃ位置における断面図である。なお、図８においては、後述する液晶パネル用フレーム及び光学シートは省略して示している。
【０００３】
バックライトユニット１０１は、主に、透明なアクリル樹脂（ＰＭＭＡ）等で形成された楔形の導光板１０２と、この導光板１０２の厚肉側の側端面近傍に配置される複数のＬＥＤ１０３と、導光板１０２を収容し、図示しないフレキシブルプリント基板に実装されたＬＥＤ１０３を支持するフレーム１０４と、図示しない液晶パネルがその上に配置される液晶パネル用フレーム１０５と、導光板１０２の光出射面側（図９の右側に面）に設けられるプリズムシートや拡散シート等の光学シート１０６と、導光板２の光出射面と反対側（図９の左側の面）に設けられる反射シート１０７と、とから構成される。
【０００４】
このように構成されるバックライトユニット１０１において、フレーム１０４に収容される導光板１０２が振動等で動くことによって発生するがたつき音(ラットルノイズと呼ばれることがある)を防止する対策として、従来、導光板１０２とフレーム１０４とを両面テープ１０８にて固定する方法が採られていた。
【０００５】
ところで、例えば車載用の液晶表示装置は、高温下又は低温下に晒される場合があり、このような点を考慮して、特定の用途に使用される液晶表示装置に対しては、温度に対する特性の要求を厳しくすることがある。そして、このような場合には、液晶表示装置に対して、低温高温信頼性試験（例えば、低温で−２０℃〜−３０℃程度、高温で７０℃〜８０℃程度の環境下に液晶表示装置を晒す冷熱サイクル試験）が実施されるが、従来の構成のバックライトユニット１０１においては、この低温高温信頼性試験によって導光板１０２が熱膨張や熱収縮等を起こすことにより、上述のがたつき音が発生するという問題があった。
【０００６】
すなわち、導光板１０２は、低温高温信頼性試験により、例えば熱膨張した後に常温に戻された場合には、その寸法が元の寸法よりも小さくなり、これによってフレーム１０４とのクリアランスが大きくなる。更に、導光板１０２を固定する両面テープ１０８も劣化し粘着力が弱くなる。このため、両面テープ１０８による導光板１０２とフレーム１０４との固定が不十分なものとなり、がたつき音が発生していた。このため、がたつき音を抑制する技術が強く求められていた。
【０００７】
以上においては、両面テープ１０８を用いて導光板１０２とフレーム１０４とを固定する方法を紹介したが、導光板１０２とフレーム１０４とを固定する構成については、従来、他の構成も存在し、例えば特許文献１や特許文献２に、両面テープ１０８を用いて導光板１０２とフレーム１０４とを固定する構成とは異なる構成が示されている。
【０００８】
すなわち、特許文献１においては、液晶表示装置の筐体となるモールド枠のＬＥＤを取り付けた内壁とは反対側の内壁に弾性を有する弾性部材を有する構成とし、この弾性部材で導光板をモールド枠のＬＥＤを取り付けた対向側の内壁に押し付ける構造としている。このため、両面テープを用いることなく、導光板をモールド枠に固定することができる。なお、弾性部材の例としては、弾性を持つ一対爪や、ゴム、スポンジ等が挙げられている。
【０００９】
また、特許文献２においては、金属フレームに樹脂スペーサを固定し、この樹脂スペーサが有する圧接部によって導光板を位置決め保持する構成や、導光板に爪、樹脂スペーサに爪受を形成して、この爪と爪受を嵌合させることで導光板を所定の位置に固定する構成が紹介されている。また、この特許文献２においては、導光板の上部に配置される液晶パネルの固定方法として、熱可塑性エラストマー等の硬度の低い樹脂を樹脂スペーサに使用して、この樹脂スペーサの弾性変形の反発力で液晶パネルを金属フレームに保持する技術も紹介されている。
【特許文献１】特開２００２−１５６６３２号公報
【特許文献２】特開２００３−２０２５５０号公報
【発明の開示】
【発明が解決しようとする課題】
【００１０】
しかしながら、特許文献１や特許文献２に示されるようにバックライトユニットを構成した場合にも、以下に述べるように、上述のがたつき音の問題を有効に解消することはできない。
【００１１】
すなわち、特許文献１の構成の場合、上述の低温高温信頼性試験を実施すると、導光板のみならず、モールド枠や弾性部材も、個々に温度環境の変化によって異なる影響（熱膨張・収縮、劣化等）を受けるために導光板をフレームに対して動かないように保持しておくのは難しい。また、特許文献１の構成の場合、導光板をモールド枠に押圧保持する場合の押圧方向が一方向のみであるので、導光板のモールド枠に対する固定が十分でないといった問題も有する。このため、上述のがたつき音の防止という観点からは、特許文献１の構成は必ずしも有効ではない。
【００１２】
また、特許文献１においては、弾性部材として機能する突起部材として一対の爪をモールド枠に形成する構成としているが、この構成の場合は突起部材がアンダーカット形状でないために、突起部材を追加する構成でも金型のコストの上昇は大きなものではない。しかし、突起部材の弾性力の調整等を考慮して突起部材の形状を適宜変化させようとすると、突起部材がアンダーカット形状となって、金型のコストが上昇する場合がある。このため、金型のコスト上昇を避けようとすると、突起部材の形状の自由度が小さくなって上述のがたつき音の防止用に形成する突起部材のバリエーションが限られ、熱膨張等への対応が不十分となり、がたつき音の防止策が不十分となるという問題もある。
【００１３】
また、特許文献２の構成の場合、上述の低温高温信頼性試験を実施しても、金属フレームは温度環境の変化による影響（熱膨張・収縮、劣化等）を受けないが、導光板及び導光板を圧接して固定する樹脂スペーサは温度環境の変化によって影響（熱膨張・収縮、劣化等）を受け、導光板と樹脂スペーサとの間に隙間が発生する等してがたつき音が発生する。また、導光板に爪、樹脂スペーサに爪受を設けて導光板を所定の位置に固定する構成の場合も、導光板、樹脂スペーサ、爪、爪受が個々に温度環境の変化に対して影響（熱膨張・収縮、劣化等）を受けるために、導光板を所定の位置に固定しておくのは難しい。このため、上述のがたつき音の防止という観点からは特許文献２の構成は必ずしも有効でない。
【００１４】
また、特許文献２に、液晶パネルの保持方法として紹介されているように、金属フレームに熱可塑性エラストマー等の硬度の低い樹脂スペーサを固定し、この樹脂スペーサの弾性変形の反発力で保持するような構成を導光板に応用する場合も、やはり、熱可塑性エラストマーの温度環境の変化による影響（熱膨張・収縮、劣化等）の問題により、上述のがたつき音を防止することは難しい。
【００１５】
以上の問題点を鑑みて、本発明の目的は、温度環境の変化によらず導光板をフレームに確実に固定して、がたつき音を防止できるバックライトを提供することである。また、本発明の目的は、前述のがたつき音を防止できて安価に形成できるバックライトユニットを提供することである。更に、本発明の目的は、前述のがたつき音を防止でき、且つ輝度ムラや干渉ムラといった光ムラを抑制可能なバックライトユニットを提供することである。
【課題を解決するための手段】
【００１６】
上記目的を達成するために本発明は、光源と、該光源からの光が側端面から入射するように前記光源から離間されて配置される導光板と、枠状の側壁を有し、前記光源を前記側壁の内側で支持するとともに前記導光板を収容する金属フレームと、を備えるバックライトユニットにおいて、前記金属フレームには、前記光源が支持される側壁側から対向する側壁側へと突出する第１の突起部材と、前記光源が支持される側壁と隣り合う２つの側壁うちいずれか一方の側壁側から対向する側壁側へと突出する第２の突起部材と、が形成され、前記第１及び第２の突起部材は、いずれもばね性を有するように前記金属フレームに取り付けられて、対向する側壁に前記導光板を押圧することを特徴としている。
【００１７】
これによれば、例えば、温度環境の変化によって導光板が収縮するような場合においても、導光板を収容するフレームは金属で形成されているために温度環境の変化による影響をほとんど受けず、その寸法はほとんど変化しない。そして、第１及び第２の突起部材は、いずれも、その構造によってばね性を有するように形成されているために、たとえ温度環境の変化によって第１及び第２の突起部材が収縮を起こすような場合でも、構造によって決まるばね性を予め調整しておけば、導光板が収縮しても導光板を金属フレームに押圧し続けることが可能となる。このため、温度環境の変化にかかわらず、導光板が動いてがたつき音が発生するのを防止することが可能となる。
【００１８】
また、本発明は、上記構成のバックライトユニットにおいて、前記第１及び第２の突起部材は、耐熱性及び耐寒性を有する材質から成るのが好ましい。なお、耐熱性は対象部材が高温（用途によってその温度は変化するが、車載用途においては、例えば７０℃〜８０℃程度）下に暴露された場合にも初期の物性を維持する性質のことを指し、耐寒性は対象部材が低温（用途によってその温度は変化するが、車載用途においては、例えば−２０℃〜−３０℃程度）下に暴露された場合にも初期の物性を維持する性質を指す。また、このような部材として、例えばポリオキシメチレン（アセタール樹脂）、板金、及び金属を樹脂に分散させたような複合材等が挙げられる。
【００１９】
これによれば、金属フレームのみならず、第１及び第２の突起部材についても、温度環境の変化による影響をほとんど受けないので、温度環境の変化によらず第１及び第２の突起部材によって導光板を金属フレームに押圧し続ける構成を容易に得られる。
【００２０】
また、本発明は、上記構成のバックライトユニットにおいて、前記第１及び第２の突起部材は、弾性を有する材質から成ることとしても良い。このような部材として、例えばポリオキシメチレン（アセタール樹脂）等が挙げられる。
【００２１】
これによれば、第１及び第２の突起部材が弾性を有しているために、第１及び第２の突起部材を例えばアウトサート成形で金属フレームに形成するような場合に、第１及び第２の突起部材がアンダーカット形状となった場合でも、金型構造を上下抜きとして設計し、製品離型時に無理抜きできる構成とすることも可能である。このため、がたつき音を防止するための突起部材の構成に自由度を持たせても、金型のコストアップを抑制でき、がたつき音を防止できる構成のバックライトユニットを低コストで作製し易くなる。
【００２２】
また、本発明は、上記構成のバックライトユニットにおいて、前記光源は、前記導光板の光が入射する側端面の長手方向と略平行な方向に列状に複数配置され、複数配置される前記光源のそれぞれを挟むように前記第１の突起部材が配置されることとしても良い。
【００２３】
これによれば、複数の光源を列状に配置する場合、通常、光源間にピッチが存在するためにバックライト（光源）点灯時に光ムラ（例えば目玉状に見える光ムラ）が発生するが、光源間に第１の突起部材を配置しているために、第１の突起部材による光の反射等の影響により光ムラを抑制することが可能となる。
【００２４】
また、本発明は、上記構成のバックライトユニットにおいて、前記第１の突起部材の側面は、前記側端面側に向かって、前記第１の突起部材の断面が細くなるように傾斜していることとしても良い。
【００２５】
これによれば、光源間に配置される突起部材の側面で、光源から出射される光を効率良く反射させることができるために、光ムラの抑制を効率良く行うことが可能となる。
【００２６】
また、本発明は、上記構成のバックライトユニットにおいて、前記第１の突起部材の前記側端面と接触する面には表面処理が施されていることとしても良い。
【００２７】
これによれば、突起部材の側端面と接触する面に施された表面処理の存在により、導光板の光源側の光を散乱することが可能となり、輝度ムラの抑制等が可能となる。
【発明の効果】
【００２８】
本発明のバックライトユニットによれば、温度環境の変化によらず導光板をフレームに確実に固定ができるために、温度環境の変化が大きい場所でもがたつき音（ラットルノイズ）の発生を防止できる。また、本発明のバックライトユニットによれば、導光板を固定する突起部材の材質の選択により、がたつき音を防止できる構成を容易に得やすく、更には安価とすることも可能である。また、本発明のバックライトユニットによれば、がたつき音を防止するために設けられる突起部材を用いて、バックライトユニットで発生する輝度ムラや干渉ムラ等を抑制することも可能となる。
【発明を実施するための最良の形態】
【００２９】
以下、本発明のバックライトユニットの実施形態について、図面を参照しながら説明する。なお、ここで示す実施形態は一例であり、本発明はここに示す実施形態に限定されるものではない。また、図面中の各部材の大きさや厚みは理解を容易にする目的のためのものであり、実際の寸法とは異なる。
【００３０】
（第１実施形態）
図１〜図３は、第１実施形態のバックライトユニットの構成を示す図で、図１は第１実施形態のバックライトユニットを示す概略平面図、図２（ａ）は図１のＡ−Ａ位置における断面図、図２（ｂ）は図１のＢ−Ｂ位置における断面図、図３は図１のＣ−Ｃ位置における断面図である。なお、図１においては、説明の便宜上、後述する液晶パネル用フレーム及び光学シートは省略して示している。
【００３１】
バックライトユニット１は、主に、透明なアクリル樹脂（ＰＭＭＡ）等で形成されて光出射面（図２の右側の面）と反射面（図２の左側の面）との距離が光入射面（側端面２ａが該当する）から遠ざかるにつれて減少するように形成された断面視楔形の導光板２と、この導光板２の厚肉側の側端面２ａ近傍に一列に配置されて導光板２の側端面２ａに向けて光を発光する複数のＬＥＤ３と、枠状の側壁を有し、図示しないフレキシブルプリント基板に実装されたＬＥＤ３を側壁４ａの内側で支持するとともに導光板２を収容する金属フレーム４と、図示しない液晶パネルがその上に配置されるロの字形状の液晶パネル用フレーム５と、導光板２の光出射面側に設けられるプリズムシートや拡散シート等の光学シート６と、導光板２の反射面側に設けられる反射シート７と、とから構成される。
【００３２】
なお、バックライトユニット１の構成はこれに限定されるものではなく、本発明の目的を逸脱しない範囲で適宜その構成を変更することが可能である。例えば、本実施形態においては、導光板２は光出射面内における明るさを均一にするために、断面視楔形の形状としているが、楔形の形状とせず、断面視矩形状等としても構わない。
【００３３】
このように構成されるバックライトユニット１において、導光板２は、金属フレーム４の側壁４ａ側から導光板２の側端面２ａ側（金属フレーム４の側壁４ｃ側）に向けて突出する２つの長辺用リブ８によって側壁４ａと対向する側壁４ｃに押圧され、金属フレーム４の側壁４ｂ側から導光板２の側端面２ｂ側（金属フレーム４の側壁４ｄ側）に向けて突出する１つの短辺用リブ９によって側壁４ｂと対向する側壁４ｄに押圧されている。これにより、導光板２は、Ｘ方向とＹ方向（図１参照）に、金属フレーム４に対して押圧された状態となっており、金属フレーム４に確実に固定された状態となっている。
【００３４】
なお、導光板２を固定するために設けられる長辺用リブ８及び短辺用リブ９の数及び配置は、本実施形態の構成に限定される趣旨ではなく、適宜変更しても構わない。また、本実施形態では、短辺用リブ９を側壁４ｂ側から突出させる構成としているが、側壁４ｄ側から突出させる構成としても、もちろん構わない。
【００３５】
次に、長辺用リブ８及び短辺用リブ９の構成の詳細について説明する。長辺用リブ８は、金属フレーム４の底面４ｅから導光板２の側端面２ａに向かうように斜めに延び出しており、これより、金属フレーム４の側壁４ａ側から導光板２の側端面２ａ側に突出する構成となっている。また、短辺用リブ９は、金属フレーム４の底面４ｅから導光板２の側端面２ｂに向かうように斜めに延び出しており、これより、金属フレーム４の側壁４ｂ側から導光板２の側端面２ｂ側に突出する構成となっている。
【００３６】
このように形成される長辺用リブ８と短辺用リブ９とは、金属フレーム４に導光板２を収容する際に、それぞれ側壁４ａ、４ｂ側にいったん押される格好となるが、その取り付けの構成がそれぞれ導光板２の側端面２ａ、２ｂ側に突出する構成であるために、最終的には導光板２を対向する側壁４ｃ、４ｄに押圧する構成となる。すなわち、長辺用リブ８と短辺用リブ９とは、いずれも、ばね性を有するように金属フレーム４に取り付けられている。
【００３７】
なお、本実施形態においては、長辺用リブ８及び短辺用リブ９を平板状に形成しているが、この形状に限定される趣旨ではなく、本発明の目的を逸脱しない範囲で種々の変更が可能である。すなわち、例えば、長辺用リブ８及び短辺用リブ９の形状をＳ字状や楔形状等としても構わない。また、長辺用リブ８と短辺用リブ９とで異なる形状としても、もちろん構わない。
【００３８】
本実施形態においては、金属フレーム４はアルミニウムを用いて形成されており、長辺用リブ８及び短辺用リブ９はポリオキシメチレン（アセタール樹脂）を用いて形成されている。このため、長辺用リブ８及び短辺用リブ９は、いずれも、例えばアウトサート成形等によって、金属フレーム４に取り付けることが可能である。
【００３９】
長辺用リブ８及び短辺用リブ９の材質として用いられるポリオキシメチレンは、広い温度範囲で、引張り強さ、伸び、衝撃強さ等の機械特性をバランスよく保つことができるために、例えば、車載用途等で問題となる高温（７０℃〜８０℃程度）下や低温（−２０〜−３０℃）下においても、熱収縮や熱膨張等がほとんど問題とならない。すなわち、ポリオキシメチレンは、耐熱性及び耐寒性を有する。
【００４０】
従って、本実施形態のバックライトユニット１は、低温高温信頼性試験（例えば、低温で−２０℃〜−３０℃程度、高温で７０℃〜８０℃の環境下に晒す冷熱サイクル試験）を行った場合においても、金属フレーム４、長辺用リブ８及び短辺用リブ９は、熱膨張、熱収縮、更には劣化するということがなく、導光板２を金属フレーム４に確実に保持することが可能であり、従来問題とされたがたつき音の発生を防止することが可能となる。
【００４１】
また、長辺用リブ８及び短辺用リブ９に用いられるポリオキシメチレンは高い弾性率を有している。このため、本実施形態のような構成のリブ８、９を形成する場合にも金型のコストを抑制できるという利点を有している。この点について、図４を用いて説明する。なお、図４は、金属フレーム４に長辺用リブ８や短辺用リブ９をアウトサート成形する場合を説明するための模式的な図で、図４（ａ）は、ポリオキシメチレンが射出された後であって、金型が閉じている状態を示し、図４（ｂ）はポリオキシメチレンが射出された後、金型が開けられた状態を示している。また、図４（ａ）の部分に示す「ＰＬ」は型分割線を示している。
【００４２】
金属フレーム５に形成される長辺用リブ８及び短辺用リブ９は、アンダーカット形状であるために、本来はポリオキシメチレンを射出した後に、図４（ｂ）に示すように金型１０を開くことはできず、金型１０にルーズコア等を取り付ける等の処置が必要と成り、金型のコストが上昇する。しかし、本実施形態の場合、長辺用リブ８及び短辺用リブ９は、ポリオキシメチレンで形成されて高い弾性率を有するために、アンダーカット形状であるにも関わらず、図４に示すように金型１０の構造を上下抜きとして無理抜きした場合においても、リブ８、９及び金型を破壊することがない。このため、リブ８、９の形状がアンダーカット形状であるにも関わらず、金型の形成に必要なコストの上昇を抑制できるという利点を有する。
【００４３】
なお、本実施形態においては、長辺用リブ８及び短辺用リブ９をポリオキシメチレンで形成する場合について説明したが、これに限定される趣旨ではなく、本発明の目的を逸脱しない範囲で種々の変更が可能である。すなわち、例えば長辺用リブ８及び短辺用リブ９を板金で形成することも可能である。この場合、板金を用いたリブにばね性を持たせるためにはプレス加工等を行う必要があり、板金の場合には金属フレーム４への取り付けは溶接等により行われる。板金は、上述の低温高温信頼性試験を行った場合においても、熱膨張・熱収縮、劣化等の問題がない耐熱性、耐寒性の材質であり、ポリオキシメチレンを用いた本実施形態の場合と同様に、従来問題とされたがたつき音の発生を防止することが可能となる。
【００４４】
また、長辺用リブ８及び短辺用リブ９は、ポリプロピレン（ＰＰ）やポリカーボネート（ＰＣ）等の樹脂を用いて形成しても良い。この場合には、長辺用リブ８及び短辺用リブ９は、低温高温信頼性試験において、熱収縮等が問題となる場合がある。しかしながら、このような場合であっても、長辺用リブ８及短辺用リブ９は、その構造においてばね性を有するように形成されているために、その構造の調整により、長辺用リブ８や短辺用リブ９が収縮等しても、導光板２を金属フレーム５に対して固定しておくことが可能である。ただし、長辺用リブ８及び短辺用リブ９を樹脂で形成する場合には、ポリオキシメチレン等の耐熱性、耐寒性、及び弾性を有する樹脂の方が、バックライトユニット１を形成し易く、金型に要する費用を抑制できるといった利点を有し、好ましい。
【００４５】
また、本実施形態においては、長辺用リブ８及び短辺用リブ９を金属フレーム４の底面４ｅから斜め方向に延び出す構成としているが、この構成に限定される趣旨ではない。すなわち、例えば、金属フレーム４の側壁４ａから導光板２の側端面２ｂに向かって斜めに延び出すような短辺用リブ９を形成する構成等としても構わない。このような短辺用リブ９であっても、導光板２を金属フレーム４の側壁４ｄに押圧し、従来問題とされたがたつき音を防止することが可能である。
【００４６】
（第２実施形態）
次に、本発明のバックライトユニットの第２実施形態について説明する。なお、第２実施形態のバックライトユニットを説明するに際し、第１実施形態のバックライトユニット１と重複する部分については同一の符号を付して、特に必要がない場合には、その説明を省略する。
【００４７】
図５は第２実施形態のバックライトユニット１１の構成を示す概略平面図である。なお、図５においては、液晶パネル用フレーム５と光学シート６（図２参照）とは省略されている。
【００４８】
第１実施形態のバックライトユニット１と異なる大きな点は、金属フレーム４の側壁４ａ側から導光板２の側端面２ａ側へと突出する長辺用リブ８の構成についてである。すなわち、第１実施形態においては、長辺用リブ８は、側壁４ａの両端部にのみ配置される構成であったが、第２実施形態においては、側壁４ａに一列に配置されるＬＥＤ３を挟むように長辺用リブ８が配置されている。
【００４９】
このような構成とする場合、導光板２を金属フレーム４に対して確実に固定することが可能となるという利点があり、また、導光板２の形状が横長である場合等においても確実に導光板２を固定できるという利点もある。このため、従来バックライトユニットにおいて問題となっていたがたつき音を、第１実施形態の構成と比較して、更に確実に防止できるという利点を有する。また、第２実施形態の構成においては、以下に説明するように、第１実施形態の場合には見られなかった他の効果も有する。
【００５０】
バックライトユニット１１に配置されるＬＥＤ３は所定の間隔を持って配置されているが、このような場合、ＬＥＤ３を点灯すると、導光板２の光出射面の特にＬＥＤ３に近い側において、干渉ムラ（例えば、目玉状に見える光ムラ）が発生する。しかし、本実施形態においては、反射率の高い白色の樹脂であるポリオキシメチレンを長辺用リブ８に用い、ＬＥＤ３を挟むように長辺用リブ８を配置しているために、ＬＥＤ３から発光された光の一部が長辺用リブ８で反射され、この影響により干渉ムラを抑制することが可能となる。このため、従来、光学シート６（図２参照）にドット印刷したり、導光板２の表面処理を行ったりして抑制していた干渉ムラに対する処置を省くことも可能となる。
【００５１】
また、本実施形態の長辺用リブ８の導光板２と接触する面８ａには、表面処理が行われている。この表面処理は、導光板２の光出射面から出射される光の輝度ムラを抑制するために施される。表面処理の種類として、例えば、図６（ａ）に示されるようなシボ加工や図６（ｂ）に示されるような溝加工、その他金属蒸着などの処理を、適宜選択して行えば良い。なお、図６は、長辺用リブ８に施される表面処理の種類を例示する概念図である。
【００５２】
以上に示すように、第２実施形態のバックライトユニット１１は、がたつき音を防止する構成を利用して、バックライトユニット１１において発生する干渉ムラ及び輝度ムラの抑制も行うことが可能となっている。
【００５３】
なお、上述のように本実施形態においては、ＬＥＤ３を挟むように配置される長辺用リブ８によって、ＬＥＤ３で発光される光の一部を反射し、干渉ムラを抑制する構成としているが、長辺用リブ８の形状を工夫することによって、より効果的に干渉ムラの抑制を図ることが可能となる。これについて、図７を参照しながら説明する。なお、図７は、第２実施形態のバックアップユニット１１の変形例を示す図で、図５の破線の楕円Ｄで囲まれる部分に該当する部分を拡大して示した図である。
【００５４】
図７に示されるように、長辺用リブ８の側面８ｂは傾斜しており、長辺用リブ８は、断面視、導光板２の側端面２ａに向かって細くなっている。そして、このように長辺用リブ８の側面が傾斜しているために、ＬＥＤ３から発光された光の一部をより効率よく反射できる構成となっている。このため、ＬＥＤ３を所定の間隔を置いて配置しているために発生する干渉ムラの抑制を効果的に行うことが可能となる。
【００５５】
なお、干渉ムラを抑制するパラメータとしては、ＬＥＤ３と長辺用リブ８との距離、側面８ｂの傾斜角度、長辺用リブ８の幅（図７における左右方向の長さが該当する）等が挙げられ、これらを適宜調整することで、干渉ムラを効率的に抑制できる。
【産業上の利用可能性】
【００５６】
本発明のバックライトユニットによれば、温度環境によらず、従来バックライトユニットで発生すると言われるがたつき音を防止することが可能となる。このため、例えば、車載用途の液晶表示装置等、高温下や低温下で使用される液晶表示装置に使用されるバックライトユニットとして有用である。
【図面の簡単な説明】
【００５７】
【図１】は、第１実施形態のバックライトユニットの構成を示す概略平面図である。
【図２】は、第１実施形態のバックライトユニットの構成を示す断面図で、図１の特定位置での断面図である。
【図３】は、第１実施形態のバックライトユニットの構成を示す断面図で、図１のＣ−Ｃ位置での断面図である。
【図４】は、金属フレームに長辺用リブや短辺用リブをアウトサート成形する場合を説明するための模式図である。
【図５】は、第２実施形態のバックライトユニットの構成を示す概略平面図である。
【図６】は、長辺用リブに施される表面処理の種類を例示する概念図である。
【図７】は、第２実施形態のバックアップユニットの変形例を示す図で、図５の破線の楕円Ｄで囲まれる部分に該当する部分を拡大して示した図である。
【図８】は、従来のバックライトユニットの構成を示す概略平面図である。
【図９】は、従来のバックライトユニットの構成を示す断面図で、図８のＡ−Ａ位置での断面図である。
【図１０】は、従来のバックライトユニットの構成を示す断面図で、図８のＣ−Ｃ位置での断面図である。
【符号の説明】
【００５８】
１、１１                バックライトユニット
２                      導光板
３                      ＬＥＤ（光源）
４                      金属フレーム
４ａ、４ｂ、４ｃ、４ｄ  側壁
８                      長辺用リブ（第１の突起部材）
９                      短辺用リブ（第２の突起部材）
【図１】
2008027736.tif 000003
【図２】
2008027736.tif 000004
【図３】
2008027736.tif 000005
【図４】
2008027736.tif 000006
【図５】
2008027736.tif 000007
【図６】
2008027736.tif 000008
【図７】
2008027736.tif 000009
【図８】
2008027736.tif 000010
【図９】
2008027736.tif 000011
【図１０】
2008027736.tif 000012